(57)【特許請求の範囲】
【請求項１】
電話呼を発信および受信するよう動作する複数の電話デバイスと、前記電気通信網内の電話呼を自動的に処理するよう動作し、制御論理およびＳＣＰデータベースを備えるサービスコントロールポイント（ＳＣＰ）および電話デバイスに接続された複数の交換機を含む自動インテリジェントネットワーク（ＩＮ）とを構成要素として備えるインテリジェントネットワーク電気通信システムにおいて、課金の衝突が存在するような状況において前記自動インテリジェントネットワーク（ＩＮ）とシステムの別の要素との間の二重課金を回避するための方法であって、
前記交換機を介して前記サービスコントロールポイント（ＳＣＰ）によって許可された呼を発呼パーティによって指定される宛先番号（ＤＮ）にルーティングするステップと、
前記自動インテリジェントネットワーク（ＩＮ）を電話トランザクションに対する課金を扱うように指定するステップと、
前記宛先番号（ＤＮ）あるいはサービスキー（ＳＫ）が前記ＳＣＰデータベースから前記自動インテリジェントネットワーク（ＩＮ）とシステムの別の要素との間に課金の衝突が存在することを示す場合、元の発呼回線識別子（ＣＬＩ）の代わりに疑似発呼回線識別子（擬似ＣＬＩ）を、前記サービスコントロールポイント（ＳＣＰ）を利用して、作成および置換するステップと、
電話呼を元のＣＬＩの代わりに前記疑似ＣＬＩと共に前記宛先番号（ＤＮ）に向けて転送するステップとを含み、
前記疑似発呼回線識別子（擬似ＣＬＩ）を作成および置換するステップが、さらに疑似ＣＬＩ検索テーブルをチェックして、課金の衝突が存在するか否か決定する処理を含むことを特徴とする方法。
【請求項２】
前記疑似ＣＬＩを作成および置換するステップが、さらに疑似ＣＬＩ検索テーブルをチェックし、前記ＣＬＩ検索テーブルからのプレフィクスおよび発呼パーティ番号（ＣｇＰＮ）の少なくとも一部を用いて前記疑似ＣＬＩを作成するステップを含む請求項１記載の方法。
【請求項３】
前記宛先番号（ＤＮ）が、特殊サービスプラットホームを指定する請求項１記載の方法。
【請求項４】
前記宛先番号（ＤＮ）が、前記システムに市外交換機を介して接続される請求項１記載の方法。
【請求項５】
前記交換機が、サービススイッチングポイント（ＳＳＰ）を備える請求項１記載の方法。
【請求項６】
前記疑似ＣＬＩを作成および置換するステップが、さらに疑似ＣＬＩ検索テーブルをチェックし、課金の衝突が存在するか否か決定するステップを含む請求項５記載の方法。
【請求項７】
前記疑似ＣＬＩを作成および置換するステップが、さらに疑似ＣＬＩ検索テーブルをチェックし、前記ＣＬＩ検索テーブルからのプレフィクスおよび発呼パーティ番号（ＣｇＰＮ）の少なくとも一部を用いて前記疑似ＣＬＩを作成するステップを含む請求項５記載の方法。
【請求項８】
課金の衝突が存在するような状況において自動インテリジェントネットワーク（ＩＮ）とシステムの別の要素との間の二重課金を回避するように適合化されたインテリジェントネットワーク電気通信システムであって、
電話呼を発信および受信するように適合化された複数の電話デバイス；および
前記電気通信網内の電話呼を自動的に処理するように適合化された自動インテリジェントネットワーク（ＩＮ）であって、制御論理およびＳＣＰデータベースを備えるサービスコントロールポイント（ＳＣＰ）を含み、さらに電話デバイスに接続された複数の交換機を含むような自動インテリジェントネットワーク（ＩＮ）とを含み、
前記交換機が前記サービスコントロールポイント（ＳＣＰ）によって許可された呼を発呼パーティによって指定される宛先番号（ＤＮ）にルーティングするように適合化され、
前記サービスコントロールポイント（ＳＣＰ）が、前記宛先番号（ＤＮ）あるいはサービスキー（ＳＫ）が前記ＳＣＰデータベースから前記自動インテリジェントネットワーク（ＩＮ）とシステムの別の要素との間に課金の衝突が存在することを示す場合、元の発呼回線識別子（ＣＬＩ）の代わりに疑似発呼回線識別子（擬似ＣＬＩ）を作成および置換するように適合化され、および
前記サービスコントロールポイント（ＳＣＰ）が、電話呼を元のＣＬＩの代わりに前記疑似ＣＬＩと共に前記宛先番号（ＤＮ）に向けて転送するように適合化されるようになっており、
前記システムは、さらに疑似ＣＬＩ検索テーブルを備え、および前記サービスコントロールポイント（ＳＣＰ）が、さらに前記疑似ＣＬＩ検索テーブルをチェックして、課金の衝突が存在するか否か決定するよう動作するものであることを特徴とするシステム。
【請求項９】
電気通信網内の電話呼を自動的に処理するための自動インテリジェントネットワーク（ＩＮ）を備えるインテリジェントネットワーク電気通信システムにおいて、課金の衝突が存在するような状況において前記自動インテリジェントネットワーク（ＩＮ）とシステムの別の要素との間の二重課金を回避するための方法であって、
前記自動インテリジェントネットワーク（ＩＮ）によって包含される交換機を介して、前記自動インテリジェントネットワーク（ＩＮ）によって許可された呼を発呼パーティによって指定される宛先番号（ＤＮ）にルーティングするステップと、
前記自動インテリジェントネットワーク（ＩＮ）を電話トランザクションに対する課金を扱うように指定するステップと、
前記宛先番号（ＤＮ）あるいはサービスキー（ＳＫ）が前記自動インテリジェントネットワーク（ＩＮ）とシステムの別の要素との間に課金の衝突が存在することを示す場合、元の発呼回線識別子（ＣＬＩ）の代わりに疑似発呼回線識別子（擬似ＣＬＩ）を前記インテリジェントネットワーク（ＩＮ）を利用して、作成および置換するステップと、
電話呼を元のＣＬＩの代わりに前記疑似発呼回線識別子（擬似ＣＬＩ）と共に前記宛先番号（ＤＮ）に向けて転送するステップとを含み、
前記作成および置換するステップは、さらに疑似ＣＬＩ検索テーブルをチェックして、課金の衝突が存在するか否か決定するよう処理を含むことをことを特徴とする方法。
【発明の詳細な説明】
【０００１】
【発明の属する技術分野】
本発明は、一般的には、電話サービスを提供するためのインテリジェントネットワーク（IN）電気通信システムに関する。より詳細には、本発明は、上述のネットワークにおける市外呼、特殊サービスへの電話呼に対する課金、および潜在的に課金がシステムの１つ以上の要素によって扱われるような他の状況における課金の管理に関する。
【０００２】
【従来の技術】
インテリジェントネットワーク（IN）は、電気通信システム、例えば、公衆電話網（PSTN）内で電話呼を自動的に処理するために用いられる。典型的なインテリジェントネットワーク（IN）アーキテクチャにおいては、サービスコントロールポイント（SCP）と呼ばれる中央コンピュータが、電話サービスおよび電話呼をネットワークを通じてルーティングするための論理およびデータを格納する。インテリジェントネットワーク（IN）内で呼の交換を遂行するために用いられる幾つかの交換機は、標準のメッセージングプロトコル、例えば、International Telecommunications Unions (ITU) Intelligent Network Application Part (INAP)、あるいはEuropean Telecommunication Standards Institute (ETSI) INAPを用いてサービスコントロールポイント（SCP）と通信する。典型的には、上述の交換機は、おのおの、呼のルーティングを制御するためのサービススイッチングポイント（SSP）、交換機にルーティングされる呼を最初に扱うために発信コールプロセッサ（OCP）、および宛先への呼を終端するための終端コールプロセッサ（TCP）を備える。この明細書においては、"終端（termination）"および"終端する（terminating）"なる用語は、呼を宛先番号に接続するという意味で用いられる。
【０００３】
これら交換機は、さらに、顧客とインテリジェントネットワーク（IN）との間をシステムをよりユーザに優しくするためにインタフェースするために用いられる一つあるいは複数のインテリジェント周辺機器（IP）を備えるか、もしくはこれらに接続される。インテリジェント周辺機器（IP）は、アナウンスメントデバイス、テキスト／音声変換器、および顧客の電話機あるいは他の電話デバイスもしくはその他のデバイスの英数文字キーパッドによって生成されたジュアルトーンマルチフリーケンシー（DTMF）信号を復号するための復号器を備える。
【０００４】
当分野において周知のように、顧客はインテリジェントネットワーク（IN）にローカルエクスチェンジキャリアあるいはローカルエクスチェンジセンタ（LEC）を介して接続される。
【０００５】
インテリジェントネットワーク（IN）のソフトウエアは、サービスクリエーション環境（SCE）を介して、現存のサービスを変更あるいは削除もしくは新たなサービスを導入するように修正することができる。関連するサービスマネジメントシステム（SMS）は、顧客によって自動化メニューへの電話呼や電話オペレータとの会話を含む電話サービスを幾つかの通信アベニューを介してあるいはインターネットを用いて設定あるいは修正するために用いられる。
【０００６】
インテリジェントネットワーク（IN）の様々な要素間の通信（つまり、照会、応答、等）は、共通チャネルシグナリング（CCS）あるいはパケットスイッチング、例えば、ITUのSystem Numer 7（S7)を用いて遂行される。
【０００７】
発呼回線識別子（Calling Line Identifiers、CLI）（これはCalling Line IdentitiesあるいはCalling Line Identificationsとしても呼ばれる）が発信電話呼の電話回線／ワイヤあるいはトランクグループを示すために用いられる。この発呼回線識別子（CLI）の重要な用途に発呼者識別（Caller Identification、Caller ID）および電話課金管理が含まれる。
【０００８】
従来の技術によるインテリジェントネットワーク（IN）は、しばしば、一般電気通信システムの他の要素ではなく、INがそれらに対する課金を扱う様々な顧客トランザクションを指定する。例えば、電話コーリングカードトランザクションを処理するインテリジェントネットワーク（IN）は、課金も扱うように設定（セットアップ）される。現在の電気通信システムにおいては、市外呼や特殊サービスプラットホームへの呼などの電話トランザクションに対する課金は、そのサービスや接続を遂行する要素によって扱われ、発信電話パーティのCLIが金銭上の責任がある顧客を識別するために用いられる。
【０００９】
電話顧客が特殊サービスをリクエストし、これに接続された場合、特殊サービスプラットホームは、受信された元のCLIを用いて、そのサービスに対して課金する。特殊サービスには、情報のチェック、一般的な相談、気象情報、時刻および気温アナウンスメント、番号案内など多様なサービスが含まれる。
【００１０】
電話呼がタンデムあるいは市外交換機に到着すると、タンデムあるいは市外交換機は、受信された元のCLI、あるいは元のCLIが入手できない場合は上流交換機の発信コールプロセッサ（OCP）によって生成された疑似CLIを用いて長距離呼あるいは他のサービスに対して課金する。
【００１１】
【発明が解決しようとする課題】
従来の技術による電気通信システムはサービスを提供している要素が自動的に課金も扱うように設定され、さらに、インテリジェントネットワーク（IN）も幾つかのトランザクションの課金を扱うように設定されるために、しばしば、課金の衝突が存在し、同一の電話トランザクションに対して二重の（あるいは余分な）課金がなされることがある。例えば、インテリジェントネットワーク（IN）は、顧客が特殊サービスあるいは長距離番号をダイヤルしたときコーリングカード顧客のコーリングカード勘定に課金する。所が、特殊サービスプラットホームもその呼に対して、呼が掛けられた電話回線のCLIと関連する勘定に課金し、このため二重課金の問題が発生する。タンデムあるいは市外交換機も長距離呼に対して、INが既に長距離呼に対して課金しているのにも関わらず、呼が掛けられた電話回線のCLIと関連する勘定に課金し、このため二重課金の問題が発生する。
【００１２】
上述の二重課金状況を回避するための幾つかの従来の技術による解決策が電話システムの交換機の発信コールプロセッサ（OCP）側に存在する。ただし、これら解決策は、電話システムのIN側から実現される制御はもたないことに加えて、これら解決策はサービスに依存したやり方ではない。
【００１３】
従って、インテリジェントネットワーク（IN）電気通信システムの分野においては、（従来の技術によって満たされてない）上述の混乱したCLI問題に起因するサービス依存二重課金状況を回避する必要性が存在する。
【００１４】
【課題を解決するための手段】
従来の技術の上述の問題および欠陥に鑑み、本発明は、インテリジェントネットワーク電気通信システムにおいて、混乱したCLI問題に起因する課金の衝突が存在するような状況下で用いるための、インテリジェントネットワーク（IN）とシステムの別の要素との間の二重課金を回避するための方法を提供する。この方法は、少なくとも電話呼を発信および受信するための複数の電話デバイスを用意するステップ、および電気通信網内の電話呼を自動的に処理するための自動インテリジェントネットワーク（IN）を用意するステップを含む。このインテリジェントネットワーク（IN）は、少なくとも制御論理およびSCPデータベースを備えるサービスコントロールポイント（SCP）を備え、このINはさらに少なくとも電話デバイスに接続された複数の交換機を備える。
【００１５】
この方法はさらに交換機を介してサービスコントロールポイント（SCP）によって許可された呼を発呼パーティによって指定される宛先番号（DN）にルーティングするステップ、インテリジェントネットワーク（IN）を電話トランザクションに対する課金を扱うように指定するステップ、およびサービスコントロールポイント（SCP）を介して、宛先番号（DN）あるいはサービスキー（SK）がSCPデータベースからインテリジェントネットワーク（IN）とシステムの別の要素との間に課金の衝突が存在することを示す場合、戦略的に元の発呼回線識別子（CLI）の代わりに疑似発呼回線識別子（CLI）を作成および置換するステップを含む。この方法は加えて電話呼を元のCLIの代わりに疑似CLIと共に宛先番号（DN）に向けて転送するステップを含む。
【００１６】
本発明は、さらに、混乱したCLI問題に起因する課金の衝突が存在するような状況下でインテリジェントネットワーク（IN）とシステムの別の要素との間の二重課金を回避するように適合化されたインテリジェントネットワーク電気通信システムを提供する。このシステムは少なくとも電話呼を発信および受信するように適合化された複数の電話デバイス、および電気通信網内の電話呼を自動的に処理するように適合化された自動インテリジェントネットワーク（IN）を備える。このインテリジェントネットワーク（IN）は、少なくとも、制御論理およびSCPデータベースを備えるサービスコントロールポイント（SCP）を含み、このINは、さらに少なくとも電話デバイスに接続された複数の交換機を備える。
【００１７】
これら交換機はサービスコントロールポイント（SCP）によって許可された呼を発呼パーティによって指定される宛先番号（DN）にルーティングするように適合化される。サービスコントロールポイント（SCP）は、宛先番号（DN）あるいはサービスキー（SK）がSCPデータベースからインテリジェントネットワーク（IN）とシステムの別の要素との間に課金の衝突が存在することを示す場合、戦略的に元の発呼回線識別子（CLI）の代わりに疑似発呼回線識別子（CLI）を作成および置換するように適合化される。このSCPはさらに電話呼を元のCLIの代わりに疑似CLIと共に宛先番号（DN）に向けて転送するするように適合化される。
【００１８】
当業者においては本発明の様々な特徴および長所が以下の説明を図面を参照しながら読むことで一層明らかになるものである。
【００１９】
【発明の実施の形態】
図１は、本発明の電気通信システム１００の基本ハードウエアを示す。電気通信システム１００は、名目上は、サービスコントロールポイント（SCP）１２４、サービスマネジメントシステム／サービスクリエーション環境（SMS/SCE）１２６、および数台の交換機、例えば、交換機１２８、１３０、１３２を備えるインテリジェントネットワーク（IN）１０２を含む。ただし、当業者においては理解できるように、サービスコントロールポイント（SCP）１２４は、一つの地理的位置には制限されず、ネットワーク化されたデータベースとして実装することもできる。
【００２０】
交換機は、サービススイッチングポイント（SSP）、例えばSSP１３４、発信コールプロセッサ（OCP）１３６および終端コールプロセッサ（TCP）１３８を備える。交換機は、さらに、アナウンスメントメッセージを再生するため、およびユーザ情報を催促し、これを収集するための関連するインテリジェント周辺機器（IP）を備える。これらインテリジェント周辺機器（IP）は、スタンドアローンユニット１４２とすることも、関連する交換機内に統合されたユニット１４０とすることも、あるいは、サービスノード（SN）内のユニット（図示せず）とすることもできる。
【００２１】
システム１００は、複数の発呼パーティ、例えば、図１に電話機１１２、１１６および１２０によって表される発呼パーティが電話呼を発信および受信できるようにする。当業者において周知のように、これら発呼パーティはローカルエクスチェンジセンタ（LEC）、例えば、図１のLEC１１４、１１８、および１２ ２を介してインテリジェントネットワーク（IN）１０２に接続する。
【００２２】
特殊サービスプラットホーム１０８が交換機１３４に直接あるいはタンデムあるいは市外交換機１０４を通じて接続される。
【００２３】
タンデムあるいは市外交換機１０４は、インテリジェントネットワーク（IN）１０２およびIN１０２を通じて処理される電話呼をシステム１００の他の公衆電話網（PSTN）１０６あるいは特殊サービスプラットホーム１０８に接続する。宛先パーティ、例えば、図１に電話デバイス１１０として表される宛先パーティは、インテリジェントネットワーク（IN）１０２を通じて処理される電話呼を市外交換機１０４および公衆電話網（PSTN）１０６を介して受信する。
【００２４】
電気通信システム１００の要素の機能は上述の"Background（背景）"の節において説明した機能と類似する。電気通信システム１００の新規の特徴について以下に説明する。
【００２５】
SCPデータベース（図示せず）は、宛先番号（DN）および／あるいはサービスキー（SK）によって、電話呼を重複課金することなく完結するために疑似CLIが必要とされるか否かを示す広範な疑似CLIテーブルを格納する。サービスキー（SK）は、電話サービスのタイプをダイヤルされた番号あるいはアクセスコードに基づいて指定するコードである。SCPデータベース内に格納される疑似CLIテーブルは、ネットワーク運用者によって、サービスおよび課金需要に基づいて決定および用意される。疑似CLIの作成は、サービスに依存して、交換機および／あるいは呼の処理とは完全に独立して行なわれる。この疑似CLIテーブルは、ネットワーク運用者によってサービスマネジメントシステム（SMS）を介してアクセスされ、必要に応じて変更される。
【００２６】
本発明のシステム１００においては、ある電話トランザクションに対する課金がインテリジェントネットワーク（IN）によって扱われることになっており、加えて、その電話呼が向けられる機器も通常課金管理を扱う場合は、サービスマネジメントシステム（SMS）によって疑似CLIテーブルが用意および作成され、疑似CLIテーブルがサービスコントロールポイント（SCP）のデータベース内に格納される。例えば、プリペイド電話コーリングカード顧客がインテリジェントネットワーク（IN）に接続するアクセスコードをダイヤルした場合、INは課金管理を扱うようにプログラムされるが、そのプリペイド電話コーリングカード顧客が、市外呼あるいは特殊サービスプラットホームへの接続に対応する宛先番号（DN）を入力した場合、INとシステムの別の要素との間に課金の衝突（重複課金の問題）が発生する。
【００２７】
このような状況において、サービスコントロールポイント（SCP）は、（疑似CLI検索テーブル内で）その宛先番号（DN）によって表されているサービスのタイプと関連するプレフィクスを使用し、このプレフィクスと発呼パーティ番号（CgPN）との一部あるいは全部を結合することで疑似CLIを形成し、あるいは全く新たなCLI番号ストリングを形成し、これを"Connect" operationの発呼パーティ番号パラメータ内のサービススイッチングポイント（SSP）に送る。インテリジェントネットワーク（IN）がこの電話呼を特殊サービスプラットホームあるいは市外交換機に接続すると、サービススイッチングポイント（SSP）は、受信された元のCLIを疑似CLIと置換し、疑似CLIをコールレコード内に格納し、これを出シグナリングにマッピングする。
【００２８】
上述の例における呼に対して課金を試みるシステムの要素、例えば、特殊サービスプラットホーム１０８あるいはタンデム／市外交換機１０４は、疑似CLIはどの顧客とも関連してないためにどの顧客に課金することもない。本発明によると、こうして、従来のインテリジェントネットワーク電気通信システムと関連する二重課金の傾向を回避することができる。加えて、この疑似CLIは、インテリジェントネットワーク（IN）によってサービスに依存して作成されるために、特殊サービスプラットホームあるいはタンデム／市外交換機は、こうして作成された疑似CLIからサービスを識別し、サービスに基づいて二重課金を回避することができる。
【００２９】
図２のアルゴリズム２００は、システム１００のインテリジェントネットワーク（IN）１０２と他の要素（例えば、特殊サービスプラットホーム１０８あるいはタンデム／市外交換機１０４）との間で課金の衝突が存在するような状況において電話コーリングカード呼をシステム１００がどのように扱うかを記述する。このアルゴリズム２００は、コーリングカード顧客（"パーティＡ"）が呼をインテリジェントネットワーク（IN）交換機に向けて発信したときトリガされる（ステップ２０２）。ステップ２０４において、交換機のサービススイッチングポイント（SSP）は、InitalDP operationをサービスコントロールポイント（SCP）に送る。
【００３０】
ステップ２０６において、サービスコントロールポイント（SCP）は、このInitalDP operationに応答して、サービススイッチングポイント（SSP）に対して、パーティＡをインテリジェント周辺機器（IP）に接続するように指令する。ステップ２０８において、インテリジェント周辺機器（IP）は、パーティＡに対して、当分野において周知のように、コーリングカード番号およびパーソナル識別番号（PIN）などの情報を入力するように催促する。ステップ２１０において、サ ービスコントロールポイント（SCP）は、有効性チェックを遂行し、パーティＡによって入力されたPINを問題のコーリングカードに対するSCPデータベース内に格納されているPINと比較し、そのトランザクションが許可されているか否か決定する。
【００３１】
トランザクションが有効である場合は、パーティＡは、宛先番号（DN）、これ例では、特殊サービスプラットホームあるいは市外呼に対応する番号を入力するように催促される（ステップ２１２および２１４）。トランザクションが有効でない場合は、発呼パーティは、有効なコーリングカード番号およびPINを再び入力する機会を与えられる（ステップ２１２および２１６）。好ましい実施例においては、この試みが所定の回数だけ失敗した場合は、呼はオペレータによる支援のためにオペレータサービスポジションシステム（OSPS）に向けられる（ステップ２１８）。
【００３２】
ステップ２２０において、サービスコントロールポイント（SCP）は、サービスキー（SK）情報を分析し、インテリジェントネットワーク（IN）がこの呼に対する課金を扱うことを決定する。SCPは、次に、疑似CLIテーブルをチェックし、（宛先番号（DN）によって表されるリクエストされたサービスのタイプに基づいて）その電話呼が疑似CLIを必要とするか否か決定する（ステップ２２２および２２４）。この場合は、サービスキー（SK）は必要とされないため、疑似CLIの作成には、宛先番号（DN）のみが重要となる。疑似CLIは必要とされないことが示される場合は、ステップ２２８において、SCPは（Connect operationを介して）サービススイッチングポイント（SSP）に対して元のCLIをConnect operation内に含まれる発呼パーティパラメータにて指定される特殊サービスあるいは他の宛先番号（DN）に送るように指令する。
【００３３】
他方、疑似CLIが必要とされることが示される場合は、ステップ２２６において、サービスコントロールポイント（SCP）は、（１）疑似CLI検索テーブル内の（求められている特定のサービスと関連する）プレフィクスおよび発呼パーティ番号（CgPN）；あるいは（２）疑似CLI検索テーブル内の全く新たな番号ストリングのいずれかに基づいて、疑似CLIを形成し、その後、SCPは、発呼パーティ番号パラメータ内に（元のCLIの代わりに）疑似CLIを挿入してConnect operationをサービススイッチングポイント（SSP）に送くることで、SSPに対して、発呼パーティを特殊サービスあるいはタンデム／市外交換機に接続するように指令する。
【００３４】
ステップ２２６もしくはステップ２２８を遂行した後、このアルゴリズムは、停止し（ステップ２３０）、別の電話呼が受信されるのを待つ。
【００３５】
テーブル１は、本発明と共に用いるのに適する疑似CLI検索テーブルの一例を示す。疑似CLIは、上述のようにサービスキー（SK）あるいは宛先番号（DN）によってこの動作を必要とすることが示されたとき、このテーブルから構成もしくは得られる。
【００３６】
【表１】
0003796126.tif 000002
【００３７】
説明：
１．機能フラッグ−SCPサービス論理によってConnect operation内の発呼パーティ番号パラメータ内に疑似CLIを挿入すべきか否かが決定される。このフラッグがオンである場合は、疑似CLIが生成され；そうでない場合は、元のCLIがConnect operationに入れて送られる。
２．疑似CLIプレフィクス−適用する場合、疑似CLIは、プレフィクス＋元のCLIにて形成される。例えば、元のCLIが630-244-1234であり、プレフィクスが200の場合、疑似CLIは2006302441234となる。
３．疑似CLI−適用する場合、疑似CLIは、このフィールド内の整数ストリング、例えば、コーリングカード呼（CC）に対しては3000000000、VPNに対しては6000000000、そして無料電話に対しては8000000000となる。
４．サービス論理はこの検索テーブル内のサービスキー（SK）あるいは宛先番号（DN）をチェックし、疑似CLIを決定する。例えば、No.１〜３のケースでは、サービスキー（SK）のみがチェックされ；ケース４〜６では、宛先番号（DN）がチェックされる。
５．宛先番号（DN）は、ローカル（ケース４）であることも、長距離（ケース５）であることも、特殊サービスプラットホーム（ケース６）であることもある。
６．テーブル内に項目が見つからない場合は、SCPサービス論理は、発呼パーティ番号パラメータ内の元のCLIをConnect operationに入れて送るか、あるいはConnect operation内の発呼パーティパラメータを無視するかのいずれかを選択する。
【００３８】
上述の説明を与えられた場合、本発明の様々な変更および修正が可能であると思われるが、ただし、当業者に明らかな全ての変更および修正が本特許証によって付与される保護の範囲内に入るものと見做されるものである。
【図面の簡単な説明】
【図１】二重課金を回避するために疑似CLIを作成および採用する本発明のインテリジェントネットワーク電気通信システムに対する基本ハードウエアの略ブロック図である。
【図２】インテリジェントネットワーク（IN）と電気通信システムの他の要素との間に課金の衝突が存在する電話コーリングカード呼の扱いを詳細に示す流れ図である。
【符号の説明】
１００  電気通信システム
１０２  インテリジェントネットワーク（IN）
１０４  タンデムあるいは市外交換機
１０６  公衆電話網（PSTN）
１０８  特殊サービスプラットホーム
１２４  サービスコントロールポイント（SCP）
１２６  サービスマネジメントシステム／サービスクリエーション環境（SMS/SCE）
１１２、１１６、１２０  電話機
１１４、１１８、 １２２  ローカルエクスチェンジセンタ（LEC）
１２８、１３０、１３２  交換機
１３４  サービススイッチングポイント（SSP）
１３６  発信コールプロセッサ（OCP）
１３８  終端コールプロセッサ（TCP）
１４０、１４２  インテリジェント周辺機器（IP）
【図１】
0003796126.tif 000003
【図２】
0003796126.tif 000004